(57)【要約】【課題】ステイオンタブ式缶蓋の開口時のタブ操作にかかる指先の負担を軽減し、円滑に開口作業を行なうことができるステイオンタブ式缶蓋を提供する。【解決手段】パネル５に、タブ取付け面９より下方に凹入され、タブ８の指掛け部１２の下方位置からパネル５の周縁に向かって延びて指掛け部１２への指掛けを案内する案内凹部１６を設ける。案内凹部１６は、パネル５の外周の補強用溝部４に連通し、平坦な底部１７と、底部１７の内側端から指掛け部１２の下面に向かって上昇方向に傾斜する第１傾斜部１８とを備える。更に、第１傾斜部１８のタブ幅方向中央部に、第１傾斜部１８の上昇方向中途位置から第１傾斜部１８よりも小さな角度に傾斜してタブ取付け面９に連続する第２傾斜部２１を設ける。【選択図】図２
0003135451.tif 000002
【実用新案登録請求の範囲】
【請求項１】
パネルと、該パネルの周縁全周にわたって補強用溝部を介して起立するチャックウォールと、該パネルに形成された飲み口形成用スコアと、該飲み口形成用スコアを破断することにより該パネルに飲み口を形成するタブとを備え、該タブは、前記パネルのタブ取付け面にリベットを介して取り付けられており、後端部に形成された指掛け部を持ち上げることによって先端部が前記飲み口形成用スコアを破断するステイオンタブ式缶蓋において、
前記パネルの一部に、タブ取付け面より下方に凹入され、前記指掛け部の下方位置から前記パネルの周縁に向かって延びて該指掛け部への指掛けを案内する案内凹部を備え、
タブの先端部から指掛け部に向かう方向をタブ長さ方向とし、この長さ方向に直交する方向をタブ幅方向としたとき、
前記案内凹部は、外側端が前記補強用溝部に連通すると共に、平坦な底部と、該底部のタブ幅方向に沿って延びる内側端から前記指掛け部の下面に向かって上昇方向に傾斜する第１傾斜部と、該第１傾斜部のタブ幅方向中央部に、該第１傾斜部の上昇方向中途位置から該第１傾斜部よりも小さな角度に傾斜して前記パネルのタブ取付け面に連なる第２傾斜部とを備えることを特徴とするステイオンタブ式缶蓋。
【請求項２】
前記案内凹部と前記補強用溝部との境界に沿って上方に僅かに突出する補強用凸条が形成されていることを特徴とする請求項１記載のステイオンタブ式缶蓋。
【請求項３】
前記タブの指掛け部は、その下面側を前記パネルから離反させるべく上方に隆起させた隆起部を備えていることを特徴とする請求項１又は２記載のステイオンタブ式缶蓋。
【請求項４】
前記案内凹部の第１傾斜部は、該案内凹部の底部に対して２０°〜３５°の角度で傾斜していることを特徴とする請求項１乃至３の何れか１項記載のステイオンタブ式缶蓋。
【考案の詳細な説明】
【技術分野】
【０００１】
本考案は、飲料缶に設けられて、タブにより飲み口を開口させた後に該タブがパネル上に残留するステイオンタブ式缶蓋に関する。
【背景技術】
【０００２】
主に飲料缶の缶胴に巻き締められているステイオンタブ式缶蓋は、該缶蓋のパネルに形成された飲み口形成用スコアを破断するためのタブが該パネル上にリベットを介して取り付けられている。該タブは、その先端部が前記飲み口形成用スコアに包囲された飲み口に臨んでおり、リベットを介して後端部には指掛け部が形成されている。該タブは、前記指掛け部を持ち上げる操作により、飲み口形成用スコアに包囲された一部のパネル（飲み口を形成する部分）が該タブの先端部によって押圧され、飲み口形成用スコアが破断されることによって飲み口が開口される。そして、該タブは、飲み口が開口された後にもリベットによるパネルへの取り付け状態が維持され、缶蓋と一体に残留するので、飲み終わった飲料缶を捨てる際の取り扱いが容易とされている。
【０００３】
しかし、この種の缶蓋は、タブが缶蓋のパネル上面にリベットによって密着固定されており、冷却等に伴う負圧缶の場合には特に、タブの指掛け部の端縁を指の先端のみで強く引き起こさなければ開口できず、指先にかかる負担が大きい不都合がある。また、近年では、材料コストの削減により缶蓋の外径を小とすることが行なわれており、それに伴って、タブが比較的小さく形成されるため、タブの指掛け部の端縁に指先を掛けることが一層困難となっている。このため、この種のステイオンタブ式缶蓋における開口作業では、非力な者にとっては指先に苦痛を伴い、円滑な開口操作が行なえない不都合がある。
【０００４】
そこで、従来、タブの指掛け部とパネルとの間に隙間が形成されるように、タブの指掛け部の下方に位置するパネルの一部に指先を入れる凹部を形成したものが知られている（例えば、実開平５−２６８２３号公報参照）。
【０００５】
しかし、この種の缶蓋は、缶胴への巻締前に多数枚重ねることが行なわれ、パネルの一部に指先を入れる凹部を形成しても、重ね合わせ性（スタック性）を確保しようとすると、その凹部の深さを十分に深くすることができない。このため、タブの指掛け部とパネルとの間に十分な隙間を形成することができず、開口操作時に指先にかかる負担を軽減することは困難であった。
【考案の開示】
【考案が解決しようとする課題】
【０００６】
かかる不都合を解消して、本考案は、ステイオンタブ式缶蓋の開口時のタブ操作にかかる指先の負担を軽減し、円滑に開口作業を行なうことができるステイオンタブ式缶蓋を提供することを目的とする。
【課題を解決するための手段】
【０００７】
かかる目的を達成するために、本考案は、パネルと、該パネルの周縁全周にわたって補強用溝部を介して起立するチャックウォールと、該パネルに形成された飲み口形成用スコアと、該飲み口形成用スコアを破断することにより該パネルに飲み口を形成するタブとを備え、該タブは、前記パネルのタブ取付け面にリベットを介して取り付けられており、後端部に形成された指掛け部を持ち上げることによって先端部が前記飲み口形成用スコアを破断するステイオンタブ式缶蓋において、前記パネルの一部に、タブ取付け面より下方に凹入され、前記指掛け部の下方位置から前記パネルの周縁に向かって延びて該指掛け部への指掛けを案内する案内凹部を備え、タブの先端部から指掛け部に向かう方向をタブ長さ方向とし、この長さ方向に直交する方向をタブ幅方向としたとき、前記案内凹部は、外側端が前記補強用溝部に連通すると共に、平坦な底部と、該底部のタブ幅方向に沿って延びる内側端から前記指掛け部の下面に向かって上昇方向に傾斜する第１傾斜部と、該第１傾斜部のタブ幅方向中央部に、該第１傾斜部の上昇方向中途位置から該第１傾斜部よりも小さな角度に傾斜して前記パネルのタブ取付け面に連なる第２傾斜部とを備えることを特徴とする。
【０００８】
ステイオンタブ式缶蓋の開口作業はタブ操作によるものであり、タブ操作は、タブの指掛け部に指を掛けてタブの後端部を引き起こす動作である。このことから、指掛け部とパネルとの間の隙間を大きくすることで指が掛け易くなる。一方、缶蓋のスタック性を確保する必要があるために、指掛け部とパネルとの間の隙間を十分に大きくすることができないことは背景技術の欄で既に述べた通りである。本考案者はここで、各種の状況を想定したタブ操作に関する試験を行なった結果、指掛け部とパネルとの間の隙間だけでなくそれ以外に、指掛け部の端縁に指を当接した直後から引き起こす直前までの指の動きが、指掛け部への指の掛け易さに影響していることを知見した。
【０００９】
この知見に基づき、本考案は、前記案内凹部に前記第１傾斜部だけでなく前記第２傾斜部を設けた。即ち、開口作業におけるタブ操作は、先ず、指掛け部とチャックウォールとの間に指先を入れ、指先がパネルに突き当たったところで、指を指掛け部の端縁に向かって移動させる。次いで、指先を指掛け部の端縁に押し付けるが、この状態では、指掛け部への指の掛かり具合が浅いので、開口作業者は、指掛け部の下面側に深く指先を入れ込もうとする動作を行なう。従来においては、この動作によっても、指掛け部の端縁が滑って指掛け部の下面側に指先を入れ込むことができず、指先を指掛け部の端縁に強固に押し付けた状態を維持してタブの後端部の円弧軌道に沿って引き上げる必要がある。それに対して、本考案においては、指先を指掛け部の端縁に押し付けると同時に第１傾斜部の下縁に指の爪の先が当接し、指の腹（爪の反対側の肉の部分）を上側に向けるだけで、爪の先が第１傾斜部の中途位置から第２傾斜部に沿って円滑に案内される。これによって、指掛け部への指の掛かりが十分に深くなり、指掛け部の端縁で指が滑ることがなく、指掛け部の下面を確実に押し上げて極めて容易にタブの後端部を揺動させることができる。
【００１０】
また、第２傾斜部は、第１傾斜部のタブ幅方向中央部に形成されるが、第１傾斜部を形成することによって、第２傾斜部を容易に形成することができる。即ち、材料コストの削減により缶蓋の外径が小さい場合には、案内凹部の底部のタブ幅方向に沿った幅寸法も比較的狭くなる（具体的には、例えば９〜１０mm程度と狭い）。しかも、パネルにおけるタブ取付け面から案内凹部の底部までの深さ寸法も、缶蓋のスタック性を確保した最大の寸法としても比較的浅い（具体的には、例えば１mm程度と浅い）。このような場合にも、第２傾斜部を形成する位置以外の第１傾斜部を例えばプレス形成するだけで、第１傾斜部よりも緩やかな角度でパネルのタブ取付け面に連続する第２傾斜部を極めて容易に形成することができる。
【００１１】
更に、案内凹部の外側端が前記補強用溝部に連通することにより、前記補強用溝部と案内凹部との境界段差を小さくすることができるので、開口作業開始時に指先が補強用溝部に入り込んでも、当該段差に阻止されることなく指先を案内凹部に移動させてタブ操作を円滑に開始することができる。
【００１２】
このように、本考案によれば、指掛け部の端縁に指を当接した直後から引き起こす直前までの指の動きに対応して、指掛け部への指の掛かりが十分に深くなるように指先を案内する第２傾斜部を案内凹部に設けたことにより、円滑に開口操作を行なうことができる。特に、飲料用缶のようにレトルト殺菌後に冷却されて缶内部が負圧になるものでは、パネルが凹面状に凹んでタブがパネル上に強固に密着した状態になるが、本考案によれば、指先が案内凹部の第２傾斜部に円滑に案内されてタブの指掛け部を容易に引き起こすことができるので、指先にかかる負担を飛躍的に軽減することができる。しかも、缶蓋の外径が小さい場合であっても、第１傾斜部を形成することにより第２傾斜部を極めて容易に形成することができる。
【００１３】
また、前記案内凹部と前記補強用溝部との境界に沿って上方に僅かに突出する補強用凸条が形成されていることが好ましい。補強用凸条によって、補強用溝部と案内凹部とが連通することによる補強用溝部の補強作用の低下を抑えることができる。
【００１４】
また、前記指掛け部は、その下面側を前記パネルから離反させるべく上方に隆起させた隆起部を備えていることが好ましい。これによれば、指掛け部とパネル（案内凹部の底部）との間の隙間を一層大きくすることができ、指掛け部への指の掛かり易さを向上させることができる。
【００１５】
また、前記第１傾斜部は、前記底部に対して２０°〜３５°の角度で傾斜していることが好ましい。底部に対する第１傾斜部の上昇角度が２０°よりも小さいと、前記第２傾斜部が平坦に近い形状となり、指先（爪の先）を上昇方向に案内する面として作用しなくなる。底部に対する第１傾斜部の上昇角度が３５°よりも大きいと、指先（爪の先）が第１傾斜部に突き当たった状態でかえって指先の上昇案内が阻害される。しかも、前記第２傾斜部の角度も大きくなって上縁に角が生じ、第２傾斜部による指先の円滑な案内が阻害される。そこで、本考案においては、底部に対する第１傾斜部の上昇角度を２０°〜３５°としたので、指先を指掛け部の下面側に向かって上昇する方向に確実且つ円滑に案内することができる。
【考案を実施するための最良の形態】
【００１６】
本考案の一実施形態を図面に基づいて説明する。図１は本実施形態のステイオンタブ式缶蓋を示す説明的平面図、図２はパネルの要部を示す説明図、図３は図２のIII−III線断面説明図、図４は図２のIV−IV線断面説明図、図５は図２のＶ−Ｖ線断面説明図、図６は開口作業を示す説明図である。
【００１７】
図１に示すように、本実施形態のステイオンタブ式缶蓋１（以下、缶蓋１という）は、巻締め用のカール部２とチャックウォール３とその周縁に備え、該チャックウォール３に包囲される内側に補強用溝部４を介してパネル５を備えている。パネル５には、飲み口６を形成するための飲み口形成用スコア７が刻設されている。該パネル５の上面側には、飲み口形成用スコア７を破断開口して飲み口６を形成するタブ８が取り付けられている。
【００１８】
前記タブ８は、パネル５のタブ取付け面９にリベット１０を介して連結されている。該タブ８は、その先端部１１が前記飲み口６に臨んでおり、該タブ８の後端部には、リング状の指掛け部１２が形成されている。該タブ８の先端部１１は、前記飲み口形成用スコア７を確実且つ容易に破断させる所定の位置に延出されている。
【００１９】
また、タブ８の先端部１１と指掛け部１２との中間位置には、前記リベット１０に固定される舌片１３が連設されている。該舌片１３はタブ８の先端部１１と指掛け部１２との中間部分を略コ字形に打ち抜くことによって形成され、該舌片１３を貫通するリベット１０にかしめ加工を施すことによりタブ８をパネル５に連結している。該舌片１３は薄板状に形成されているので、容易に屈曲させることができ、これによってタブ８をパネル５上において揺動させることができる。
【００２０】
更に、パネル５には、前記舌片１３に対応する位置に突出する凸部１４が形成されており、前記舌片１３には、該凸部１４に係合する孔部１５が形成されている。これにより、タブ８は前記パネル５上におけるリベット１０廻りの回転が防止されている。
【００２１】
また、図1及び図２に示すように、パネル５の一部には、タブ８による開口作業の際に指を案内する案内凹部１６が形成されている。該案内凹部１６は、前記タブ取付け面９より下方に凹入され、その内側端が指掛け部１２の下方に位置し、外側端がパネル５の周縁に向かって延びている。
【００２２】
該案内凹部１６は、図３に示すように、底部１７が平坦に形成され、底部１７の内側端から前記指掛け部１２の下面に向かって上昇方向に傾斜する第１傾斜部１８を備えている。底部１７の両側には、図２及び図５に示すように、互いに対向して上方に向かって拡開する一対の側壁傾斜部１９が形成され、底部１７の外側端は、図３に示すように、前記補強用溝部４に連通している。底部１７は、補強用溝部４の裏面位置より下方に位置しないか、補強用溝部４の裏面位置より下方に位置しても僅かとなるように形成されている。これによって、図示しないが、複数の缶蓋１を重ね合わせたときのスタック性を良好に確保している。また、案内凹部１６が補強用溝部４に連通することによって、案内凹部１６に対応する部分での補強用溝部４による補強作用が低下するおそれがあるので、案内凹部１６と補強用溝部４との境界に沿って僅かに突出する補強用凸条２０が形成されている。
【００２３】
ここで、タブ８の先端部１１から指掛け部１２に向かう方向をタブ長さ方向とし、この長さ方向に直交する方向をタブ幅方向としたとき、図２に示すように、前記第１傾斜部１８のタブ幅方向中央部には、該第１傾斜部１８の上昇方向中途位置から湾曲して前記パネル５のタブ取付け面９に連続する第２傾斜部２１が形成されている。
【００２４】
第１傾斜部１８は、図３に示すように、底部１７に対して約３０°の角度θをもって傾斜している。なお、底部１７に対する第１傾斜部１８の傾斜角度θは、２０°〜３５°の範囲内で設定される。
【００２５】
前記第１傾斜部１８は、図３に示すように、底部１７に連なる下縁とタブ取付け面９に連なる上縁とに角部が形成されているが、第２傾斜部２１においては、図４に示すように、緩やかに湾曲してタブ取付け面９に連なっている。更に、タブ８の指掛け部１２には、図５に示すように、パネル５の上方に向かって隆起することによって、指掛け部１２の下方に空隙を形成する隆起部２２が形成されている。
【００２６】
次に、以上のように構成された本実施形態の缶蓋１の開口作業を説明する。図６を参照して、先ず、指掛け部１２とチャックウォール３との間に指先（図６において符号Ｙで示している）を入れ、指先が案内凹部１６の底部１７に突き当たったところで、指を指掛け部１２の端縁に向かって移動させる。このとき、指の爪の先が補強用溝部４に当接したとしても、案内凹部１６が補強用溝部４に連通していることによって、指を指掛け部１２の端縁に向かって円滑に移動させることができる。なお、案内凹部１６と補強用溝部４との境界には補強用凸条２０が形成されているが、補強用凸条２０の突出は僅かであるので、案内凹部１６に沿った指先の案内を阻害しない。
【００２７】
次いで、指先を指掛け部１２の端縁に押し付けると、同時に第１傾斜部１８の下縁（第２傾斜部２１の下方位置）に指の爪の先が当接する。続いて、指の腹（爪の反対側の肉の部分）を上側に向ける動作が加わると、指の爪の先が第１傾斜部１８の中途位置から第２傾斜部２１に沿って案内され、指の腹が指掛け部１２の下側に入り込む。このとき、指先が第２傾斜部２１に案内されることにより、殆ど指に力を加えることなく指掛け部１２が上動し、指掛け部１２への指の掛かりを深くすることができると共に、指掛け部１２の端縁での指の滑りも防止することができる。
【００２８】
次いで、この状態から、指掛け部１２の下面を確実に押し上げるようにしてすることで、指の力が効率よくタブ８の後端部に伝達され、開口作業者は指先に殆ど苦痛を感じることなく、タブ８を揺動させることができる。そして、揺動されたタブ８により、タブ８の先端に押圧された飲み口６の周囲の飲み口形成用スコア７が破断され、飲み口６が開放される。
【００２９】
以上のように、本実施形態の缶蓋１によれば、指先が第２傾斜部２１に案内されることにより容易にタブ８の指掛け部１２に指を掛けることができる。これによって、例えば、飲料用缶のようにレトルト殺菌後に冷却されて缶内部が負圧になり、タブ８がパネル５上に強固に密着した状態になっていても、案内凹部１６の第２傾斜部２１の案内によりタブ８の指掛け部１２を容易に引き起こすことができ、指先にかかる負担を飛躍的に軽減することができる。
【図面の簡単な説明】
【００３０】
【図１】本考案の実施形態のステイオンタブ式缶蓋を示す説明的平面図。
【図２】パネルの要部を示す説明図。
【図３】図２のIII−III線断面説明図。
【図４】図２のIV−IV線断面説明図。
【図５】図２のＶ−Ｖ線断面説明図。
【図６】開口作業を示す説明図。
【符号の説明】
【００３１】
１…ステイオンタブ式缶蓋、３…チャックウォール、４…補強用溝部、５…パネル、６…飲み口、７…飲み口形成用スコア、８…タブ、９…タブ取付け面、１０…リベット、１１…先端部、１２…指掛け部、１６…案内凹部、１７…底部、１８…第１傾斜部、２０…補強用凸条、２１…第２傾斜部、２２…隆起部。
【図１】
0003135451.tif 000003
【図２】
0003135451.tif 000004
【図３】
0003135451.tif 000005
【図４】
0003135451.tif 000006
【図５】
0003135451.tif 000007
【図６】
0003135451.tif 000008